(57)【特許請求の範囲】
【請求項１】
複数のコンテンツ情報を前記複数のコンテンツ情報の各々が属するカテゴリ毎に分類する分類手段と、
前記分類したカテゴリの各々を前記カテゴリに対するユーザの嗜好に合致する降順に一覧表示する表示手段と、
自端末が、ビーコンから発せられる電波を受信可能な特定領域に入った場合に、前記ビーコンが発する、所定の領域に紐付けられたコンテンツ情報である地域限定コンテンツ情報を受信する受信手段と、
を含み、
前記表示手段は、前記地域限定コンテンツ情報であることを示すカテゴリを、前記降順に一覧表示されているカテゴリの前記ユーザの嗜好に最も合致するカテゴリよりも優先順位を高くして表示することを特徴とする携帯情報端末。
【請求項２】
前記表示手段は、自端末が前記特定領域に入っていない場合、前記地域限定コンテンツ情報であることを示すカテゴリを表示しないことを特徴とする請求項１に記載の携帯情報端末。
【請求項３】
前記表示手段は、前記地域限定コンテンツ情報であることを示すカテゴリを選択すると前記地域限定コンテンツ情報を複数表示し、前記分類手段は、前記複数表示される前記地域限定コンテンツ情報のうち、前記ユーザが選択して閲覧する前記地域限定コンテンツ情報が前記降順に一覧表示されているカテゴリの何れのカテゴリに属するものであるかを分類することを特徴とする請求項１に記載の携帯情報端末。
【請求項４】
前記複数表示される前記地域限定コンテンツ情報に対する前記ユーザの閲覧履歴に基づいて、前記複数表示される前記地域限定コンテンツ情報の各々が属するカテゴリのうちユーザの嗜好に合致するカテゴリを決定することを特徴とする請求項３に記載の携帯情報端末。
【請求項５】
前記表示手段は、前記降順に一覧表示されているカテゴリのうち何れかのカテゴリを選択すると前記選択したカテゴリに属する複数のコンテンツ情報をユーザの嗜好に合致する降順に表示するものであり、前記分類手段は、前記所定の領域に紐付けられたコンテンツ情報に関連するコンテンツ情報のうち前記決定したユーザの嗜好に合致するカテゴリに属するコンテンツ情報を前記降順に一覧表示されているカテゴリに分類し、前記表示手段は、前記カテゴリを選択すると前記分類されたコンテンツ情報を前記降順に表示するコンテンツ情報よりも優先順位を高くして表示することを特徴とする請求項４に記載の携帯情報端末。
【請求項６】
複数のコンテンツ情報を前記複数のコンテンツ情報の各々が属するカテゴリ毎に分類する工程と、
前記分類したカテゴリの各々を前記カテゴリに対するユーザの嗜好に合致する降順に一覧表示する工程と、
自端末が、ビーコンから発せられる電波を受信可能な特定領域に入った場合に、前記ビーコンが発する、所定の領域に紐付けられたコンテンツ情報である地域限定コンテンツ情報を受信する工程と、
前記地域限定コンテンツ情報であることを示すカテゴリを、前記降順に一覧表示されているカテゴリの前記ユーザの嗜好に最も合致するカテゴリよりも優先順位を高くして表示する工程と、
を含むことを特徴とする携帯情報端末の制御方法。
【請求項７】
携帯情報端末のコンピュータに、
複数のコンテンツ情報を前記複数のコンテンツ情報の各々が属するカテゴリ毎に分類する処理と、
前記分類したカテゴリの各々を前記カテゴリに対するユーザの嗜好に合致する降順に一覧表示する処理と、
自端末が、ビーコンから発せられる電波を受信可能な特定領域に入った場合に、前記ビーコンが発する、所定の領域に紐付けられたコンテンツ情報である地域限定コンテンツ情報を受信する処理と、
前記地域限定コンテンツ情報であることを示すカテゴリを、前記降順に一覧表示されているカテゴリの前記ユーザの嗜好に最も合致するカテゴリよりも優先順位を高くして表示する処理と、
を実行させるためのプログラム。
【発明の詳細な説明】
【技術分野】
【０００１】
本発明は、携帯情報端末、携帯情報端末の制御方法、及びプログラムに関する。
【背景技術】
【０００２】
近年、携帯電話機やスマートフォン等の携帯情報端末の発達により、屋内外の場所を問わず、データ通信を行うことが一般的になってきている。また、有線又は無線を問わず、かつ、インターネット及び移動通信網を具体例とする広域ネットワーク又は家庭内、事業所内、施設内等を具体例とするローカルエリアネットワーク等、様々な地域又は空間においてネットワークが構築されており、様々な情報提供を容易に行う環境が整いつつある。
【０００３】
このような通信環境下において、インターネット等から取得した複数のカテゴリに分類され得るコンテンツ情報を携帯情報端末のディスプレイに一覧表示する際に、当該複数のカテゴリ毎に予めユーザの興味度を判断し、又はユーザが自ら興味度を設定する等して、ユーザの興味度の高いカテゴリに属するコンテンツ情報から降順に上から下へ一覧表示する携帯情報端末が提案されている（例えば、特許文献１参照）。
【先行技術文献】
【特許文献】
【０００４】
【特許文献１】特開２０１４−１４９６５０号公報
【発明の概要】
【発明が解決しようとする課題】
【０００５】
特許文献１に記載された技術では、例えば、世間一般の大多数の人が関心を抱くようなオリンピック大会やサッカーのワールドカップ大会のようなメジャーなイベントに関連するコンテンツ情報は、ニュースやスポーツといったカテゴリに略分類されるので、ニュースカテゴリ内の記事やスポーツカテゴリ内の記事にアクセスすることにより、当該イベントに関連するコンテンツ情報を入手することは一応可能ではある。
【０００６】
また、当該イベント専用のカテゴリを設け、当該イベントに関連するあらゆる情報を抽出し当該イベント専用のカテゴリに蓄積しておくことにより、ニュースやスポーツといったカテゴリにアクセスすることなく、ユーザは容易に当該イベント関連のコンテンツ情報にアクセスすることができる。しかしながら、当該イベント専用にカテゴライズされたコンテンツ情報は、当該イベントにまったく関心がない（無関係の）第三者の携帯情報端末に対しても遍く提供されてしまうので、このような第三者にとって、当該カテゴライズされたコンテンツ情報は何ら意味を有さないという問題があった。
【０００７】
さらに、このようなメジャーなイベントに関連するコンテンツ情報よりも、ユーザにとって興味関心が高い又はユーザが主体的に参加する特定の地域で開催されるイベント（例えば、旅行、コンサート、食事会、展示会、スポーツ観戦等）に特化したコンテンツ情報を纏めて閲覧したいという要望に対し、従来技術では対応することができないという問題がある。
【０００８】
そこで本発明は、上記従来の問題点に鑑みてなされたものであって、ユーザの行動様式に沿ったカテゴリを設けることにより、従来よりもパーソナライズ化されたコンテンツ情報をユーザに対して提供すると共に、当該ユーザが参加するイベントの集客効果の向上に寄与することが可能な携帯情報端末、携帯情報端末の制御方法、及びプログラムを提供することを目的とする。
【課題を解決するための手段】
【０００９】
上記課題を解決するため、請求項１に記載の本発明における携帯情報端末は、複数のコンテンツ情報を前記複数のコンテンツ情報の各々が属するカテゴリ毎に分類する分類手段と、前記分類したカテゴリの各々を前記カテゴリに対するユーザの嗜好に合致する降順に一覧表示する表示手段と、自端末の位置を把握する位置把握手段と、所定の領域に紐付けられたコンテンツ情報である地域限定コンテンツ情報を受信する受信手段と、を含み、前記表示手段は、前記把握した位置が前記所定の領域に含まれるときに前記地域限定コンテンツ情報であることを示すカテゴリを、前記降順に一覧表示されているカテゴリの前記ユーザの嗜好に最も合致するカテゴリよりも優先順位を高くして表示することを特徴とする。
【００１０】
また、上記課題を解決するため、請求項６に記載の本発明における携帯情報端末の制御方法は、複数のコンテンツ情報を前記複数のコンテンツ情報の各々が属するカテゴリ毎に分類する工程と、前記分類したカテゴリの各々を前記カテゴリに対するユーザの嗜好に合致する降順に一覧表示する工程と、自端末の位置を把握する工程と、所定の領域に紐付けられたコンテンツ情報である地域限定コンテンツ情報を受信する工程と、前記把握した位置が前記所定の領域に含まれるときに前記地域限定コンテンツ情報であることを示すカテゴリを、前記降順に一覧表示されているカテゴリの前記ユーザの嗜好に最も合致するカテゴリよりも優先順位を高くして表示する工程と、を含むことを特徴とする。
【００１１】
さらに、上記課題を解決するため、請求項７に記載の本発明における携帯情報端末のコンピュータに実行させるためのプログラムは、携帯情報端末のコンピュータに、複数のコンテンツ情報を前記複数のコンテンツ情報の各々が属するカテゴリ毎に分類する処理と、前記分類したカテゴリの各々を前記カテゴリに対するユーザの嗜好に合致する降順に一覧表示する処理と、自端末の位置を把握する処理と、所定の領域に紐付けられたコンテンツ情報である地域限定コンテンツ情報を受信する処理と、前記把握した位置が前記所定の領域に含まれるときに前記地域限定コンテンツ情報であることを示すカテゴリを、前記降順に一覧表示されているカテゴリの前記ユーザの嗜好に最も合致するカテゴリよりも優先順位を高くして表示する処理と、を実行させることを特徴とする。
【発明の効果】
【００１２】
本発明によれば、ユーザの行動様式に沿ったカテゴリを設けることにより、従来よりもパーソナライズ化されたコンテンツ情報をユーザに対して提供すると共に、当該ユーザが参加するイベントの集客効果の向上に寄与することが可能な携帯情報端末、携帯情報端末の制御方法、及びプログラムが得られる。
【図面の簡単な説明】
【００１３】
【図１】本実施形態における携帯情報端末が配置される通信環境について説明する図である。
【図２】本実施形態における携帯情報端末のハードウェアブロック図の一例について説明する図である。
【図３】本実施形態における携帯情報端末が基地局又はビーコンを経由してネットワークを介して接続されるサーバのハードウェアブロック図の一例について説明する図である。
【図４】本実施形態における携帯情報端末の機能ブロック図の一例について説明する図である。
【図５】本実施形態における携帯情報端末の表示画面に、（ａ）パーソナライズ化されたコンテンツ情報のカテゴリが表示された状態、（ｂ）パーソナライズ化されたコンテンツ情報のカテゴリが選択されたときに表示画面が遷移した状態、（ｃ）特定のコンテンツ情報にアクセスしたときに表示画面が遷移した状態、について説明する図である。
【図６】本実施形態における携帯情報端末の動作フローについて説明する図である。
【図７】本実施形態における携帯情報端末の動作フローについて説明する図である。
【図８】本実施形態における携帯情報端末の動作フローについて説明する図である。
【発明を実施するための形態】
【００１４】
次に、本発明を実施するための形態について図面を参照して詳細に説明する。なお、各図中、同一又は相当する部分には同一の符号を付しており、その重複説明は適宜に簡略化乃至省略する。以下、本実施形態について説明するが、本実施形態は、以下に説明する実施形態に限定されるものではない。なお、以下に説明する実施形態は、携帯情報端末に搭載されるアプリケーションプログラムを具体例に挙げて説明しているが、様々な地域から提供され得るコンテンツ情報をカテゴライズ可能な携帯情報端末に搭載されるあらゆるアプリケーションプログラムに対しても適用可能である。
【００１５】
まず、本実施形態における携帯情報端末が配置される通信環境について説明する図である。図１は、本実施形態における携帯情報端末が配置される通信環境について説明する図である。
【００１６】
図１において、インターネットを一例とするネットワーク６００に対して、基地局２００と、サーバ４００と、ビーコン５００とがそれぞれ接続されている。また、ＧＰＳ（Global Positioning System：全地球測位システム）衛星３００と携帯情報端末１００との間、基地局２００と携帯情報端末１００との間、及び携帯情報端末１００とビーコン５００との間において通信が行われている。
【００１７】
本実施形態における携帯情報端末１００は、携帯電話通信網を介して基地局２００と接続する機能を有している。また、携帯情報端末１００は、例えば、ＧＰＳ衛星３００から受信する信号等を用いたり付近の基地局２００との情報交換を行ったりすることにより、現在位置を認識する機能を有している。そして、この現在位置は、携帯情報端末１００の経度・緯度で示される。
【００１８】
なお、ＧＰＳ衛星３００は、人工衛星を利用して位置を測位するシステムであり、後述する携帯情報端末１００が有するＧＰＳ通信部１０８は複数のＧＰＳ衛星３００から電波を受信して位置を特定するものであるが、屋内や地下といった衛星からの電波が届かない場所での測位が難しいという欠点がある。
【００１９】
また、ネットワーク６００には、ビーコン５００が接続されている。ビーコン５００は、ＧＰＳ衛星３００のように広範囲での利用はできないが、屋内や地下でも利用することができ、ビーコン５００に対応するアプリケーションプログラムをインストールした携帯情報端末１００から数ｃｍから数十ｃｍという範囲（精度）でビーコン５００の位置を特定できる。したがって、店舗や特定の領域のような狭い範囲の情報をピンポイントに発信することが可能であり、例えば、ｉＢｅａｃｏｎ（登録商標）のようなものが挙げられる。
【００２０】
なお、ビーコン５００は、ｉＢｅａｃｏｎに限定されることなく、ＧＰＳ衛星３００のように広範囲での利用はできないが、屋内や地下でも利用することができ、数ｃｍから数十ｃｍレベルで携帯情報端末１００からビーコン５００の位置を特定できるものであれば如何なる形式のものであっても良い。このビーコン５００は、後述するユーザにとって興味関心が高い又はユーザが主体的に参加するイベントに特化した特定の地域におけるコンテンツ情報を纏めて携帯情報端末１００に送信する機能を有するものである。
【００２１】
また、ネットワーク６００には、サーバ４００が接続されている。このサーバ４００は、携帯情報端末１００がインターネットを一例とするネットワーク６００を介して接続可能なＷｅｂサーバや、ビーコン５００が携帯情報端末１００に対して発信する店舗のような狭い範囲の情報（特定の地域におけるコンテンツ情報）を格納するビーコンサーバである。
【００２２】
なお、図１には、ネットワーク６００に対して、基地局２００、ビーコン５００、及びサーバ４００がそれぞれ１台ずつ接続されている例について説明しているが、これ等はそれぞれ複数台ネットワーク６００に接続されているものであることは勿論である。また、図１においては、携帯情報端末１００が１台だけ存在している例について説明しているが、携帯情報端末１００は、複数台設けることが可能である。
【００２３】
次に、本実施形態における携帯情報端末のハードウェアブロック図の一例について説明する。図２は、本実施形態における携帯情報端末のハードウェアブロック図の一例について説明する図である。
【００２４】
図２において、本実施形態における携帯情報端末１００は、ハードウェア構成として、携帯情報端末１００の全体の動作を制御するＣＰＵ（Central Processing Unit）（制御部）１０１を備えている。また、各種データや各種プログラムを記憶するＲＯＭ（Read Only Memory）１０２やＲＡＭ（Random Access Memory）１０３等の記憶部を備えている。特に、本実施形態では、ＲＡＭ１０３に、ビーコン５００に対応するアプリケーションプログラムがインストールされていることを前提とする。さらに、携帯情報端末１００に対して電源を供給するバッテリ部１０４を備えている。
【００２５】
また、携帯情報端末１００のユーザが、キーボードや、ＬＣＤ（Liquid Crystal Display）からなるタッチパネル等といった携帯情報端末１００を操作する機能を有すると共に、後述するビーコン５００から取得して携帯情報端末１００のＲＡＭ２５３に格納されたデータ等を表示する機能を有する操作・表示部１０５を備えている。さらに、携帯情報端末１００が、基地局２００との間で通信を行う基地局通信部１０６と、ビーコン５００との間で通信を行うビーコン通信部１０７とを備えている。また、携帯情報端末１００がＧＰＳ衛星３００との間で通信を行うＧＰＳ通信部１０８を備えている。
【００２６】
そして、ＣＰＵ１０１、ＲＯＭ１０２、ＲＡＭ１０３、バッテリ部１０４、操作・表示部１０５、基地局通信部１０６、ビーコン通信部１０７、及びＧＰＳ通信部１０８は、バス１０９によって接続されている。そして、携帯情報端末１００における各種処理は、ＣＰＵ１０１が、ＲＯＭ１０２及びＲＡＭ１０３に記憶されている各種プログラムをロードし実行することにより実現されるものである。なお、これに限らず、これらの機能を個別のハードウェア等の回路を用いて実現することも可能である。
【００２７】
次に、本実施形態における携帯情報端末が基地局又はビーコンを経由してネットワークを介して接続されるサーバのハードウェアブロック図の一例について説明する。図３は、本実施形態における携帯情報端末が基地局又はビーコンを経由してネットワークを介して接続されるサーバのハードウェアブロック図の一例について説明する図である。
【００２８】
図３において、本実施形態における携帯情報端末１００が基地局２００又はビーコン５００を経由してネットワーク６００を介して接続されるサーバ４００は、ハードウェア構成として、サーバ４００の全体の動作を制御するＣＰＵ（制御部）４０１を備えている。また、各種データや各種プログラムを記憶するＲＯＭ４０２やＲＡＭ４０３等の記憶部を備えている。さらに、携帯情報端末１００から指定されたＵＲＬ（Uniform Resource Locator）に対して提供するＷｅｂ情報やビーコン５００が携帯情報端末１００に対して発信する狭い範囲の情報（特定の地域におけるコンテンツ情報）を格納するＨＤＤ（Hard Disk Drive）４０４を備えている。
【００２９】
また、サーバ４００の保守者が、キーボードや、ＬＣＤからなるタッチパネル等といったサーバ４００を操作する機能を有すると共に、Ｗｅｂ情報やビーコン５００が携帯情報端末１００に対して発信する狭い範囲の情報（特定の地域におけるコンテンツ情報）を保守者が確認する機能を有する操作・表示部４０５を備えている。さらに、ネットワーク６００との間で通信を行う通信部４０６を備えている。また、サーバ４００に対して電源を供給する電源部４０７を備えている。
【００３０】
そして、ＣＰＵ４０１、ＲＯＭ４０２、ＲＡＭ４０３、ＨＤＤ４０４、操作・表示部４０５、通信部４０６、及び電源部４０７は、バス４０８によって接続されている。そして、サーバ４００における各種処理は、ＣＰＵ４０１が、ＲＯＭ４０２及びＲＡＭ４０３に記憶されている各種プログラムをロードし実行することにより実現されるものである。なお、これに限らず、これらの機能を個別のハードウェア等の回路を用いて実現することも可能である。
【００３１】
次に、本実施形態における携帯情報端末の機能ブロック図の一例について説明する。図４は、本実施形態における携帯情報端末の機能ブロック図の一例について説明する図である。
【００３２】
図４において、本実施形態における携帯情報端末１００は、機能ブロックとして、全体制御部１５１と、分類部１５２と、表示部１５３と、位置把握部１５４と、コンテンツ情報受信部１５５と、カテゴリ・コンテンツ選択部１５６と、嗜好学習部１５７と、コンテンツ抽出部１５８と、を備えている。そして、全体制御部１５１、分類部１５２、表示部１５３、位置把握部１５４、コンテンツ情報受信部１５５、カテゴリ・コンテンツ選択部１５６、嗜好学習部１５７、及びコンテンツ抽出部１５８は、バス１５９によって接続されている。
【００３３】
全体制御部１５１は、携帯情報端末１００の全体の動作を制御する機能を有するものである。分類部１５２は、携帯情報端末１００がＵＲＬを指定することによりネットワーク６００を介して（Ｗｅｂ）サーバ４００に接続し、当該（Ｗｅｂ）サーバ４００から収集したＷｅｂ情報を一例とする複数のコンテンツ情報を、この複数のコンテンツ情報がそれぞれ属するカテゴリ毎に分類する機能を有するものである。なお、ここでいうカテゴリとは、後述する図５（ａ）に示すような、「デザイン・アート」、「音楽」、「ファッション」、・・・「芸能」等といった、コンテンツ情報が如何なるジャンル（属性）に含まれるものであるかを示すものである。
【００３４】
嗜好学習部１５７は、Ｗｅｂ情報に対するユーザのアクセス履歴（例えば、ある一定期間内にＷｅｂ情報にアクセスしたアクセスログ）等に基づいて、如何なるカテゴリに属するコンテンツ情報（Ｗｅｂ情報）に対して如何なる頻度でアクセスしたかといった履歴を分析し、当該ユーザの興味、嗜好がどのような傾向を有しているかを決定するものである。なお、ユーザの嗜好の決定の方法は、如何なる方法を用いても良いし、ユーザの嗜好の変化に応じて任意のタイミングで決定するようにしても良い。
【００３５】
表示部１５３は、分類部１５２で分類したＷｅｂ情報を一例とする複数のコンテンツ情報の各カテゴリを表示する際、嗜好学習部１５７で決定したユーザの嗜好に基づいて、当該カテゴリを嗜好の高いカテゴリから低いカテゴリの順序で表示する降順、嗜好の低いカテゴリから高いカテゴリの順序で表示する昇順、又は任意の順序に並べ替えて操作・表示部１０５に一覧表示する機能を有するものである。なお、本実施形態においては、カテゴリを降順で一覧表示するものとして説明を行う。
【００３６】
また、表示部１５３の表示領域は物理的な制限があるため、カテゴリを降順で一覧表示した場合、ユーザの嗜好レベルが下位の方のカテゴリは表示部１５３に表示されない場合もあり得るが、その場合には、降順に一覧表示されているカテゴリを携帯情報端末１００の上方向にスワイプ操作を行うことにより、下位のカテゴリが表示部１５３に表示される。
【００３７】
さらに、表示部１５３は、ある特定のカテゴリが選択されると、その選択された特定のカテゴリに属する複数のコンテンツ情報を表示する際、嗜好学習部１５７で決定したユーザの嗜好に基づいて、当該複数のコンテンツ情報を降順、昇順、又は任意の順番に並べ替えて表示する機能を有するものである。なお、本実施形態においては、複数のコンテンツ情報を降順で表示するものとして説明を行う。また、ここでいうカテゴリの選択は、後述するカテゴリ・コンテンツ選択部１５６を用いることによって行われる。
【００３８】
位置把握部１５４は、上記したＧＰＳ衛星３００から受信する信号等を用いたり付近の基地局２００との情報交換を行ったりすることにより、自端末である携帯情報端末１００の現在位置を把握する機能を有するものである。コンテンツ情報受信部１５５は、上記した店舗のような狭い範囲の情報をピンポイントに発信するｉＢｅａｃｏｎを一例とするビーコン５００から、ユーザにとって興味関心が高い又はユーザが主体的に参加するイベントに特化した地域特有のコンテンツ情報を取得する機能を有するものである。この地域特有のコンテンツ情報とは、所定の領域に紐付けられたコンテンツ情報であり、以下、地域限定コンテンツ情報ともいう。
【００３９】
また、表示部１５３は、上記した機能に加えて、位置把握部１５４で把握した地域（緯度、経度）において、ユーザにとって興味関心が高いリゾート情報、グルメ情報といったコンテンツ情報や、その地域付近で催される予定のイベント情報といった地域限定コンテンツ情報をコンテンツ情報受信部１５５で取得し、コンテンツ情報受信部１５５で取得した地域限定コンテンツ情報からなる地域特有のカテゴリ（地域限定コンテンツ情報であることを示すカテゴリ）を作成する。そして、表示部１５３において、複数のコンテンツ情報の各カテゴリが嗜好学習部１５７で決定したユーザの嗜好に基づいて降順に一覧表示されている最上位の位置の上部、すなわち、ユーザの嗜好に最も合致するカテゴリよりも優先順位を高くして当該作成された地域限定コンテンツ情報であることを示すカテゴリを表示する機能を有する。
【００４０】
カテゴリ・コンテンツ選択部１５６によって表示部１５３の最上位の位置の上部に表示された地域限定コンテンツ情報であることを示すカテゴリが選択されると、表示部１５３は、その選択された地域限定コンテンツ情報であることを示すカテゴリに属する複数のコンテンツ情報を表示する。そして、この複数のコンテンツ情報のうち、ユーザがカテゴリ・コンテンツ選択部１５６によって選択して閲覧したコンテンツ情報が、表示部１５３において降順に一覧表示されているカテゴリのうち、どのカテゴリに含まれるコンテンツ情報であるか、すなわち、特定の地域におけるコンテンツ情報のうち、如何なるカテゴリに属するコンテンツ情報がより頻繁に閲覧されるかといったアクセス履歴が嗜好学習部１５７によって決定される。
【００４１】
コンテンツ情報受信部１５５が、ｉＢｅａｃｏｎを一例とするビーコン５００から、ユーザにとって興味関心が高い又はユーザが主体的に参加するイベントに特化した地域特有のコンテンツ情報（地域限定コンテンツ情報）を取得することができなくなった場合、表示部１５３は、最上位の位置の上部に表示された地域限定コンテンツ情報であることを示すカテゴリを表示しない。これにより、表示部１５３には、上記した複数のコンテンツ情報の各カテゴリが降順で一覧表示される状態に戻る。
【００４２】
そして、コンテンツ抽出部１５８は上記した地域限定コンテンツ情報を抽出し続ける。分類部１５２は、抽出された地域限定コンテンツ情報のうち、地域限定コンテンツ情報に対するユーザの閲覧履歴に基づいて決定されたユーザの嗜好に合致するカテゴリに属するコンテンツ情報を、上記降順に一覧表示されているカテゴリに分類する。さらに、表示部１５３は、当該カテゴリを選択すると当該分類されたコンテンツ情報を上記降順に表示するコンテンツ情報よりも優先順位を高くして表示する。
【００４３】
これにより、新たに抽出された地域限定コンテンツ情報のうち、嗜好学習部１５７で決定されたユーザの嗜好に合致するカテゴリに属するコンテンツ情報が、カテゴリを選択した際に既に存在するコンテンツ情報と比較して優先的に表示されることになる。なお、地域限定コンテンツ情報は、降順に一覧表示されるカテゴリに分類される場合、一般的に世間一般の人々のアクセス頻度が高いと考えられるニュースカテゴリの中に分類されるようにしても良い。
【００４４】
次に、本実施形態における携帯情報端末の表示画面に、パーソナライズ化されたコンテンツ情報のカテゴリが表示された状態、パーソナライズ化されたコンテンツ情報のカテゴリが選択されたときに表示画面が遷移した状態、及び特定のコンテンツ情報にアクセスしたときに表示画面が遷移した状態、について説明する。図５は、本実施形態における携帯情報端末の表示画面に、（ａ）パーソナライズ化されたコンテンツ情報のカテゴリが表示された状態、（ｂ）パーソナライズ化されたコンテンツ情報のカテゴリが選択されたときに表示画面が遷移した状態、（ｃ）特定のコンテンツ情報にアクセスしたときに表示画面が遷移した状態、について説明する図である。
【００４５】
ユーザの嗜好レベルの降順に一覧表示されているカテゴリ５０２が操作・表示部１０５に表示された携帯情報端末１００を所持するユーザが、神奈川県の鎌倉市付近を訪問すると、ＧＰＳ通信部１０８は、ＧＰＳ衛星３００から受信する信号と情報交換を行うことにより、位置把握部１５４は、自端末である携帯情報端末１００の現在位置を把握する。そして、携帯情報端末１００が、図１で示したビーコン５００から発せられる電波を受信可能な圏内７００に移動すると、ビーコン通信部１０７はビーコン５００からの電波を受信し、コンテンツ情報受信部１５５は、鎌倉地域特有の地域限定コンテンツ情報を取得し、コンテンツ情報受信部１５５で受信した鎌倉地域付近の地域限定コンテンツ情報を纏めた地域限定コンテンツ情報であることを示すカテゴリを作成する。
【００４６】
そして、図５（ａ）に示すように、鎌倉地域特有の地域限定コンテンツ情報であることを示すカテゴリ５０１（“鎌倉リゾート”）を作成し、表示部１５３において、複数のコンテンツ情報の各カテゴリが嗜好学習部１５７で決定したユーザの嗜好に基づいて降順に一覧表示されているカテゴリ５０２のうち、最上位の位置の上部、すなわち、嗜好が最も高いカテゴリ（“デザイン・アート”）よりも上部の位置に、当該作成された地域限定コンテンツ情報であることを示すカテゴリ５０１（“鎌倉リゾート”）を表示する。
【００４７】
図５（ａ）に示す状態から携帯情報端末１００のユーザが地域限定コンテンツ情報であることを示すカテゴリ５０１を矢印Ａ方向にフリック操作を行うと、操作・表示部１０５は、図５（ｂ）に示す状態に変化する。これは、地域限定コンテンツ情報であることを示すカテゴリ５０１に含まれる複数のコンテンツ情報５０３、５０４、５０５、５０６が操作・表示部１０５において分割して表示される。この各コンテンツ情報の内容、表示順序、表示面積は、ビーコン５００を設置する特定の地域（本実施形態では、鎌倉のリゾート）を管理している主催者によって予め定められているものであっても良いし、世間一般に知られている特定の地域（本実施形態では鎌倉のリゾート）に関係があるコンテンツ情報を選択して集められたものであっても良い。
【００４８】
図５（ｂ）に示す状態において、携帯情報端末１００のユーザが、コンテンツ情報５０４にアクセスするため、コンテンツ情報５０４の表示画面を矢印Ｂ方向にフリック操作を行うと、図５（ｃ）に示すように、コンテンツ情報５０４の詳細なコンテンツ情報５０７が操作・表示部１０５の全面に表示される。そして、特定の地域におけるカテゴリ５０１（“鎌倉リゾート”）に含まれる複数のコンテンツ情報５０３、５０４、５０５、５０６のうち、どのコンテンツ情報がより頻繁に閲覧されるかといったアクセス履歴が嗜好学習部１５７によって決定される。
【００４９】
次に、本実施形態における携帯情報端末の動作フローについて説明する。図６、図７、図８は、本実施形態における携帯情報端末の動作フローについて説明する図である。
【００５０】
図６において、まず、ステップＳ７０１の処理において、嗜好学習部１５７は、ユーザの嗜好を学習する。これは、上記したように、例えば、Ｗｅｂ情報に対するユーザのアクセス履歴（例えば、ある一定期間内にＷｅｂ情報にアクセスしたアクセスログ）等に基づいて、如何なるカテゴリに属するコンテンツ情報に対して如何なる頻度でアクセスしたかといった履歴により、カテゴリ及びコンテンツの属性に対し当該ユーザの興味、嗜好がどのような傾向を有しているかを決定するものである。なお、ユーザの嗜好の決定方法は、如何なる方法を用いても良いし、ユーザの嗜好の変化に応じて任意のタイミングで決定するようにしても良い。
【００５１】
ステップＳ７０２の処理において、分類部１５２は、携帯情報端末１００によって取得された複数のコンテンツ情報をカテゴリ毎に分類する。これは、ＵＲＬを指定してネットワーク６００を介して（Ｗｅｂ）サーバ４００に接続することにより収集したＷｅｂ情報を一例とする複数のコンテンツ情報を、これ等の複数のコンテンツ情報がそれぞれ属するカテゴリ毎に分類する機能を有するものである。なお、ここでいうカテゴリとは、上記図５（ａ）に示すような、「デザイン・アート」、「音楽」、「ファッション」、・・・、「芸能」等といった、コンテンツ情報が如何なるジャンル（属性）に含まれるものであるかを示すものである。
【００５２】
ステップＳ７０３の処理において、表示部１５３は、ステップＳ７０２の処理で分類したカテゴリの各々を、ステップＳ７０１の処理で学習したカテゴリに対するユーザの嗜好に合致する降順に一覧表示するものである。
【００５３】
ステップＳ７０４の処理において、カテゴリ・コンテンツ選択部１５６は、ステップＳ７０３の処理で一覧表示されたカテゴリの中からあるカテゴリが選択されたか否かを判断する。あるカテゴリが選択された（ステップＳ７０４：Ｙ）と判断するとステップＳ７０５の処理へ移行し、あるカテゴリが選択されない（ステップＳ７０４：Ｎ）と判断されると、ステップＳ７０６の処理へ移行する。
【００５４】
ステップＳ７０５の処理において、ステップＳ７０４の処理において選択されたカテゴリに含まれるコンテンツ情報を、ステップＳ７０１の処理で学習したユーザの嗜好に合致する降順に表示部１５３が表示する。
【００５５】
ステップＳ７０６の処理において、位置把握部１５４は、上記したＧＰＳ衛星３００から受信する信号等により、自端末である携帯情報端末１００の現在位置を把握する。位置把握部１５４で把握する位置情報は、緯度、経度で表される。
【００５６】
ステップＳ７０７の処理において、ビーコン通信部１０７は、店舗のような狭い範囲の情報をピンポイントに発信するｉＢｅａｃｏｎを一例とするビーコン５００が発する電波を受信したか否かを判断する。ビーコン通信部１０７は、ビーコン５００が発する電波を受信しない（ステップＳ７０７：Ｎ）と判断すると、受信するまで待機する。ビーコン通信部１０７は、ビーコン５００が発する電波を受信した（ステップＳ７０７：Ｙ）と判断すると、ステップＳ７０８の処理へ移行する。
【００５７】
ステップＳ７０８の処理において、コンテンツ情報受信部１５５はｉＢｅａｃｏｎを一例とするビーコン５００から、ステップＳ７０６の処理において把握した現在位置における位置特有の情報を取得する。この位置特有の情報とは、上記したように、当該位置においてユーザにとって興味関心が高い又はユーザが主体的に参加するイベントに特化したコンテンツ情報（地域限定コンテンツ情報）を指す。なお、地域限定コンテンツ情報とは、上記したように所定の領域に紐付けられたコンテンツ情報をいう。
【００５８】
なお、本実施形態では、ビーコン５００が発する電波を受信することによりコンテンツ情報受信部１５５が自端末である携帯情報端末１００の位置特有の情報を取得することを前提に説明を行っているが、携帯情報端末１００が特定領域（本実施形態の場合はビーコン５００が発する電波を受信することが可能な領域）に入った時点で、コンテンツ情報受信部１５５が能動的に地域限定コンテンツ情報を取得するようにしても良い。この場合、ステップＳ７０７の処理は、“携帯情報端末１００が特定領域に入った？”という判断処理になる。
【００５９】
図７のステップＳ７０９の処理において、表示部１５３は、位置特有の情報からなるカテゴリ（地域限定コンテンツ情報であることを示すカテゴリ）を作成する。そして、表示部１５３は、ステップＳ７１０の処理において、Ｓ７０９の処理で作成したカテゴリを、ステップＳ７０３の処理で一覧表示されたカテゴリの最上位の位置の上部に表示する。上記図５の場合、地域限定コンテンツ情報であることを示すカテゴリとして「鎌倉リゾート」というカテゴリを作成し、一覧表示された他のカテゴリ（「デザイン・アート」、「音楽」、「ファッション」、…、「芸能」）の最上位の位置の上部に表示する。
【００６０】
すなわち、ステップＳ７０６の処理によって把握した位置（位置把握部１５４が把握した位置）が、所定の領域（地域限定コンテンツ情報を受信することができる領域）に含まれるときに、地域限定コンテンツ情報であることを示すカテゴリを、ステップＳ７０３の処理において降順に一覧表示されているカテゴリのうち、ユーザの嗜好に最も合致するカテゴリよりも優先順位を高くして表示するのである。
【００６１】
ステップＳ７１１の処理において、カテゴリ・コンテンツ選択部１５６は、最上位のカテゴリが選択されたか否かを判断する。上記図５の場合、最上位のカテゴリである「鎌倉リゾート」が選択されたか否かを判断する。最上位のカテゴリが選択されない（ステップＳ７１１：Ｎ）と判断されると、選択されるまで待機する。最上位のカテゴリが選択された（ステップＳ７１１：Ｙ）と判断されると、ステップＳ７１２の処理へ移行する。
【００６２】
ステップＳ７１２の処理において、ステップＳ７１１の処理で最上位のカテゴリが選択されると、表示部１５３は、当該カテゴリに含まれる特有のコンテンツ情報（地域限定コンテンツ情報）を複数表示する。このとき、当該カテゴリに含まれる地域限定コンテンツ情報として、上記した位置把握部１５４で把握した地域（緯度、経度）において、ユーザにとって興味関心が高いリゾート情報、グルメ情報といったコンテンツ情報や、その地域付近で催される予定のイベント情報といったコンテンツ情報（所定の領域に紐付けられたコンテンツ情報）が挙げられる。
【００６３】
ステップＳ７１３の処理において、ステップＳ７１２の処理において複数表示された地域限定コンテンツ情報に対するユーザの閲覧履歴に基づいて、嗜好学習部１５７は、ユーザの興味、嗜好を決定する。すなわち、ステップＳ７１２の処理において複数表示された特有のコンテンツ情報（地域限定コンテンツ情報）のうち、ユーザがカテゴリ・コンテンツ選択部１５６によって閲覧することを選択したコンテンツ情報が、表示部１５３において降順に一覧表示されているカテゴリのうち、どのカテゴリに含まれるコンテンツ情報であるか、すなわち、特定の地域におけるコンテンツ情報のうち、如何なるカテゴリに属するコンテンツ情報がより頻繁に閲覧されるかといったアクセス履歴が嗜好学習部１５７によって決定される。
【００６４】
ステップＳ７１４の処理において、ビーコン通信部１０７は、ビーコン５００が発する電波の圏内であるか否かを判断する。すなわち、コンテンツ情報受信部１５５が、ビーコン５００から、ユーザにとって興味関心が高い又はユーザが主体的に参加するイベントに特化した地域特有のコンテンツ情報（地域限定コンテンツ情報）を取得することができなくなったか否かを判断する。ビーコン５００が発する電波の圏内である（ステップＳ７１４：Ｙ）と判断されると、ステップＳ７１２の処理へ移行する。ビーコン５００が発する電波の圏外である（ステップＳ７１４：Ｎ）と判断されると、ステップＳ７１５の処理へ移行する。
【００６５】
なお、この処理も、上記したように、携帯情報端末１００が特定領域（本実施形態の場合はビーコン５００が発する電波を受信することが可能な領域）から出た時点で、コンテンツ情報受信部１５５が能動的に地域限定コンテンツ情報の取得をやめるようにしても良い。すなわち、ステップＳ７０６の処理によって把握した位置（位置把握部１５４が把握した位置）が、所定の領域（地域限定コンテンツ情報を受信することができる領域）に含まれないときは、地域限定コンテンツ情報の取得をやめる。この場合、ステップＳ７１３の処理は、“携帯情報端末１００が特定領域から出た？”という判断処理になる。
【００６６】
ステップＳ７１５の処理において、表示部１５３は、ステップＳ７０９の処理において作成した位置特有の情報（地域限定コンテンツ情報）であることを示すカテゴリの表示をやめる。これにより、表示部１５３は、図６のステップＳ７０３の処理で行ったユーザの嗜好に合致する降順に分類したカテゴリを一覧表示する状態に戻ることになる。
【００６７】
ステップＳ７１６の処理において、コンテンツ抽出部１５８は、ステップＳ７１５の処理において表示部１５３が地域限定コンテンツ情報であることを示すカテゴリの表示をやめた後においても、地域限定コンテンツ情報の抽出を継続する。すなわち、上記した所定の領域に紐付けられたコンテンツ情報に関連するコンテンツ情報の取得を継続する。
【００６８】
図８のステップＳ７１７の処理において、分類部１５２は、ステップＳ７１６の処理において抽出された地域特有のコンテンツ情報（所定の領域に紐付けられたコンテンツ情報に関連するコンテンツ情報）のうち、ステップＳ７１３の処理で決定したユーザの興味、嗜好に合致するカテゴリに属するコンテンツ情報を、ステップＳ７０３の処理において一覧表示されたカテゴリに分類する。
【００６９】
ステップＳ７１８の処理において、カテゴリ・コンテンツ選択部１５６は、ステップＳ７１８の処理においてカテゴリ（ステップＳ７０３の処理において一覧表示されたカテゴリ）が選択されたか否かを判断する。一覧表示されたカテゴリが選択されない（ステップＳ７１８：Ｎ）と判断すると、選択されるまで待機する。一覧表示されたカテゴリが選択された（ステップＳ７１８：Ｙ）と判断すると、ステップＳ７１９の処理へ移行する。
【００７０】
ステップＳ７１９の処理において、ステップＳ７１７の処理で一覧表示されたカテゴリに分類されたユーザの嗜好に合致するコンテンツ情報（所定の領域に紐付けられたコンテンツ情報に関連するコンテンツ情報）を、そのカテゴリにおいて既に存在する他のコンテンツ情報よりも優先順位を高くして表示して処理を終了する。
【００７１】
なお、図６、図７、図８に示した本実施形態における携帯情報端末１００の動作フローは、コンピュータ上のプログラムに実行させることもできる。すなわち、携帯情報端末１００を構成するＣＰＵ（制御部）１０１１が、ＲＯＭ１０２格納されたプログラムをロードする。そして、プログラムの各処理ステップが順次実行されることによって行われる。
【００７２】
以上説明したように、本実施形態では、分類部１５２は、複数のコンテンツ情報を複数のコンテンツ情報の各々が属するカテゴリ毎に分類する。また、表示部１５３は、分類部１５２が分類したカテゴリの各々を、当該カテゴリに対するユーザの嗜好に合致する降順に一覧表示する。さらに、位置把握部１５４は、自端末である携帯情報端末１００の位置を把握する。また、コンテンツ情報受信部１５５は、所定の領域、本実施形態においては、神奈川県鎌倉市に紐付けられたコンテンツ情報である地域限定コンテンツ情報を受信する。
【００７３】
そして、表示部１５３は、位置把握部１５４で把握した位置が所定の領域（神奈川県鎌倉市）に含まれるときに地域限定コンテンツ情報であることを示すカテゴリ、本実施形態においては、「鎌倉リゾート」を、降順に一覧表示されているカテゴリのうちユーザの嗜好に最も合致するカテゴリ、上記実施形態においては、「デザイン・アート」よりも優先順位を高くして、操作・表示部１０５の最上位の位置に表示することとしている。
【００７４】
このように、本発明によれば、ユーザの行動様式に沿ったカテゴリを設けることにより、従来よりもパーソナライズ化されたコンテンツ情報をユーザに対して提供すると共に、当該ユーザが参加するイベントの集客効果の向上に寄与することが可能な携帯情報端末、携帯情報端末の制御方法、及びプログラムを得ることができるのである。
【００７５】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００７６】
１００    携帯情報端末
１０１、４０１    ＣＰＵ（制御部）
１０２、４０２    ＲＯＭ
１０３、４０３    ＲＡＭ
１０４    バッテリ部
１０５、４０５    操作・表示部
１０６    基地局通信部
１０７    ビーコン通信部
１０８    ＧＰＳ通信部
１０９、１５９、４０８    バス
１５１    全体制御部
１５２    分類部
１５３    表示部
１５４    位置把握部
１５５    コンテンツ情報受信部
１５６    カテゴリ・コンテンツ選択部
１５７    嗜好学習部
１５８    コンテンツ抽出部
２００    基地局
３００    ＧＰＳ衛星
４００    サーバ
４０４    ＨＤＤ
４０６    通信部
４０７    電源部
５００  ビーコン
５０１、  ５０２    カテゴリ
５０３、５０４、５０５、５０６    コンテンツ情報
５０７    詳細なコンテンツ情報
６００    ネットワーク
７００    圏内
【図１】
0006360089.tif 000002
【図２】
0006360089.tif 000003
【図３】
0006360089.tif 000004
【図４】
0006360089.tif 000005
【図５】
0006360089.tif 000006
【図６】
0006360089.tif 000007
【図７】
0006360089.tif 000008
【図８】
0006360089.tif 000009